(57)【要約】【課題】通電コイルの通電時に漏れ磁束を導いて、制御接点を開離させたときに発生するアークを引き延ばしする構造のパワーリレーにおいて、発生したアークで可動接点を設けた板バネが損傷しても、制御接点の接離動作に大きな影響を与えない構造とした、パワーリレーを提供する。【解決手段】継鉄２に設けた通電コイル６を通電して、可動接点４２と固定接点４１とから成る制御接点４を開離させて電流を遮断した際に、継鉄２に生じた磁束の一部を、制御接点４に導くことによって、可動接点４２と固定接点４１との間に生じた放電アークを引き延ばしする構造とし、可動接点４２は、作動片３に接触する板バネ８上に構成され、該板バネ８には、可動接点の少なくとも左、右いずれかの側端に、アークの引き延ばしを終端させる突出片Ｐを形成している。【選択図】図１
2006196372.tif 000002
【特許請求の範囲】
【請求項１】
通電コイルを巻装し、磁石を内蔵した継鉄と、上記通電コイルへの通電を切換えて上記継鉄に生じる磁束によって開位置と閉位置との間で往復運動をなす作動片と、この作動片の運動を受けた可動接点で、固定接点を接離して電流の開閉を行う制御接点とを備え、上記作動片を開位置に移動させて、上記制御接点を開いて電流を遮断する際には、上記通電コイルによって継鉄に生じた磁束の一部を上記制御接点側に導くことによって、上記可動接点と固定接点との間に生じたアークを引き延ばし消弧するようにしたパワーリレーにおいて、
上記可動接点は、上記作動片に接触する板バネ上に構成され、該板バネには、上記可動接点の少なくとも左、右いずれかの側端に、上記アークの引き延ばしを終端させる突出片を形成していることを特徴とする、パワーリレー。
【請求項２】
請求項１において、
上記突出片は、先端を尖塔形状に形成していることを特徴とする、パワーリレー。
【請求項３】
請求項１において、
上記突出片は、それぞれの先端を尖塔形状に形成した複数の小突出片を有していることを特徴とする、パワーリレー。
【請求項４】
請求項１において、
上記突出片は、固定接点側に突出し、かつ上記可動接点から板バネの側端に延びるリブ条を形成していることを特徴とする、パワーリレー。
【請求項５】
請求項１〜５のいずれかにおいて、
上記突出片は、上記可動接点の下方側に形成されていることを特徴とする、パワーリレー。
【請求項６】
請求項１において、
上記板バネは、上記突出片に代えて、上記可動接点側に内面を向けたアーチ状の磁性体を設けていることを特徴とする、パワーリレー。
【請求項７】
通電コイルを巻装し、磁石を内蔵した継鉄と、上記通電コイルへの通電を切換えて上記継鉄に生じる磁束によって開位置と閉位置との間で往復運動をなす作動片と、この作動片の運動を受けた可動接点で、固定接点を接離して電流の開閉を行う制御接点とを備え、上記作動片を開位置に移動させて、上記制御接点を開いて電流を遮断する際には、上記通電コイルによって継鉄に生じた磁束の一部を上記制御接点側に導くことによって、上記可動接点と固定接点との間に生じたアークを引き延ばし消弧するようにしたパワーリレーにおいて、
上記固定接点は、上記板バネに対向して配置された第１の固定端子に設けられており、かつ、
上記板バネには、上記第１の固定端子との離隔距離が、該板バネの側端になるにつれて大きくなるように、第１の固定端子から遠ざかる方向に湾曲したアークホーンが形成され、
更に、上記第１の固定端子との離隔距離が上記アークホーンの先端との離隔距離よりも小さくなるように配置され、上記板バネと同電位とされた第２の固定端子を設けていることを特徴とする、パワーリレー。
【発明の詳細な説明】
【技術分野】
【０００１】
本発明は、制御接点を開離して電流を遮断させたときに発生するアークを磁力によって引き延ばしを行なう構造としたパワーリレーの改良に関するものである。
【背景技術】
【０００２】
従来のこの種のパワーリレーは、通電コイルへの通電を切換え、作動片を開閉させて、可動接点と固定接点との接離を行うものであるが、そのとき接点間で発生するアーク放電により、制御接点やその周辺部が損傷してしまうことがある。
【０００３】
次の特許文献には、接点間に生ずるアーク放電を、通電コイルの通電時に発生する磁束を作用させて吹き消すために引き延ばしを行う自己保持型のリレーが記載されている。
【特許文献１】実開昭５１−６３１４３号公報
【発明の開示】
【発明が解決しようとする課題】
【０００４】
ところが、このようなアークを引き延ばしようとすると、移動したアークによって接点以外の他の部位が損傷してしまう。
すなわち、このようなリレーでは、制御接点を開離す動作をなしたときには、可動接点に弾性力を作用させて、固定接点から引き離すために板バネ上に設けられているのが通例であるが、アーク放電が頻繁に発生すると板バネを損傷させてしまうことがあり、そのような場合には、バネ定数が変化し、制御接点を正常に接離できず、パワーリレーの信頼性を阻害するという問題があった。
【０００５】
本発明は、上記問題を解決するために提案されたもので、その目的は、アークの引き延ばしの終端点を、板バネの側端に設けた突出片に特定させることで、板バネが損傷しても、制御接点の接離動作に大きな影響を与えることのない、パワーリレーを提供することにある。
【０００６】
また、第２の目的は、上記した突出片に代えて、アークの引き延ばしを板バネから更に離れた、２つの固定端子に導いて、板バネを損傷から保護する機能を備えた、パワーリレーを提供することにある。
【課題を解決するための手段】
【０００７】
上記目的を達成するために提案される、請求項１に記載の第１の本発明のパワーリレーは、通電コイルを巻装し、磁石を内蔵した継鉄と、上記通電コイルへの通電を切換えて上記継鉄に生じる磁束によって開位置と閉位置との間で往復運動をなす作動片と、この作動片の運動を受けた可動接点で、固定接点を接離して電流の開閉を行う制御接点とを備え、上記作動片を開位置に移動させて、上記制御接点を開いて電流を遮断する際には、上記通電コイルによって継鉄に生じた磁束の一部を上記制御接点側に導くことによって、上記可動接点と固定接点との間に生じたアークを引き延ばし消弧するようにしたパワーリレーにおいて、上記可動接点は、上記作動片に接触する板バネ上に構成され、該板バネには、上記可動接点の少なくとも左、右いずれかの側端に、上記アークの引き延ばしを終端させる突出片を形成していることを特徴とする。
【０００８】
請求項２では、請求項１において、突出片は、先端を尖塔形状に形成していることを特徴とする。
【０００９】
請求項３では、請求項１において、突出片は、それぞれの先端を尖塔形状に形成した複数の小突出片を有していることを特徴とする。
【００１０】
請求項４では、請求項１において、突出片は、固定接点側に突出し、かつ可動接点から板バネの側端に延びるリブ条を形成していることを特徴とする。
【００１１】
請求項５では、請求項１〜４のいずれかにおいて、突出片は、可動接点の下方側に形成されていることを特徴とする。
【００１２】
請求項６では、請求項１において、板バネは、突出片に代えて、可動接点側に内面を向けたアーチ状の磁性体を設けていることを特徴とする。
【００１３】
同時に提案される請求項７に記載の第２の本発明のパワーリレーは、通電コイルを巻装し、磁石を内蔵した継鉄と、上記通電コイルへの通電を切換えて上記継鉄に生じる磁束によって開位置と閉位置との間で往復運動をなす作動片と、この作動片の運動を受けた可動接点で、固定接点を接離して電流の開閉を行う制御接点とを備え、上記作動片を開位置に移動させて、上記制御接点を開いて電流を遮断する際には、上記通電コイルによって継鉄に生じた磁束の一部を上記制御接点側に導くことによって、上記可動接点と固定接点との間に生じたアークを引き延ばし消弧するようにしたパワーリレーにおいて、上記固定接点は、上記板バネに対向して配置された第１の固定端子に設けられており、かつ、上記板バネには、上記第１の固定端子との離隔距離が、該板バネの側端になるにつれて大きくなるように、第１の固定端子から遠ざかる方向に湾曲したアークホーンが形成され、更に、上記第１の固定端子との離隔距離が上記アークホーンの先端との離隔距離よりも小さくなるように配置され、上記板バネと同電位とされた第２の固定端子を設けていることを特徴とする。
【発明の効果】
【００１４】
請求項１〜５に記載の第１の本発明のパワーリレーによれば、制御接点を開離したときに固定接点との間でアークが発生する可動接点を設けた板バネの側端にはアークを導いて終端させる突出片を形成しているので、そこにアークを導くことで板バネ本体の損傷を防止できる。
【００１５】
また、突出片は、板バネ本体の可動接点を設けた箇所から離れた側端にあるので、損傷を受けてもバネ定数を大きく変化させて、板バネの正常な接点接離動作に影響を与えることも少ない。
【００１６】
請求項２、３では、突出片の先端が尖塔形状となっているため、電界強度が高まり、アークが突出片に移動しやすくなる。特に請求項３では、先端を尖塔形状とした複数の小突出片を有しているので、アークを引き延ばす箇所を分散させることができ、有益である。
【００１７】
請求項４では、アークの引き延ばし方向に沿って形成したリブ条は、アークの引き延ばしの際にガイドとして機能するので、アークをすみやかに突出片まで引き延ばしさせることができる。
【００１８】
請求項５では、突出片を可動接点の下方側に形成しているので、突出片が損傷しても、板バネのバネ定数に大きな変化を与えることがない。
【００１９】
請求項６では、突出片に代えてアーチ状の磁性体を設け、アーチ状の内面を可動接点側に向けているので、そこにアークを誘い込むことができる。
また、磁性体を取り付けることによって、アークの移動を迅速にし、接点部の荷重が増加し、そのためバウンスを低減させることができる。
【００２０】
請求項７に記載した第２の本発明のパワーリレーでは、第１の本発明の要件である突出片に代えて、アークホーンと、これと同電位とされた第２の固定端子とを所定の条件で設けているので、アークをアークホーンによって板バネの側端まで導いた後、第１の固定端子と第２の固定端子との間に飛び移らせて消弧させることができる。
また、アークホーンは板バネを折り曲げて形成することができるため、他の部材を取り付ける必要がない。
【発明を実施するための最良の形態】
【００２１】
以下に、本発明の実施の形態を図面とともに説明する。
【実施例１】
【００２２】
図６（ａ）〜（ｃ）は、本発明をパワーリレーに適用した場合の構造を示す概略断面図である。ここに、（ａ）はリレーを上方から見たときの概略断面図、（ｂ）はリレーを前方から見たときの概略断面図、（ｃ）はリレーを側方から見たときの概略断面図である。
Ｘ―Ｘ，Ｙ―Ｙ，Ｚ―Ｚは、それぞれ側方、上方、前方から見た場合の切断線を示している。
【００２３】
パワーリレーＲは、絶縁ベース１上に構成され、その全体を絶縁ケース５で覆われたブロック体になっている。
【００２４】
絶縁ベース１は、厚みのある絶縁性の高い樹脂から形成され、貫通孔１１と凹部１２とを設けている。この貫通孔１１には、「Ｕ」字形の断面を有した継鉄２が挿入されて固定されており、絶縁ベース１の下方には、第１の固定端子Ｔ１の脚部Ｔ１Ｂ、第２の固定端子Ｔ２の脚部Ｔ２Ｂ、一対のコイル通電端子Ｔ３、Ｔ４を突出させている。
また、１４は絶縁ベース１に形成された縦長溝であり、可動接点４２を固定接点４１から開離させた際に発生するアークを、後述する漏れ磁束を作用させて更に引き延ばし、第１、第２の固定端子の本体部Ｔ１Ａ、Ｔ２Ａ間に飛び移らせたときに、その近傍で発生する金属蒸気や炭素粉を落とし込むことで、絶縁ベース１の絶縁劣化や、第１、第２の固定端子Ｔ１，Ｔ２の短絡を防止している。
【００２５】
継鉄２は、例えば純鉄、または半硬質磁性材料によって形成されており、ギャップ２３を形成した「Ｕ」字形本体の一方側には、通電コイル６を巻装し突起ビン７を取付け、他方側には、永久磁石９を図６（ｂ）に示す磁極を向けて埋設され、更にその上端には、アクチュエータである作動片３を揺動可能に支持するための２つの突起２１，２１を形成している。
【００２６】
作動片３は、継鉄２と同様に、磁性材料からなる板材であって、継鉄２のギャップ２３に吸引され、あるいはその吸引から解放される側である第１の自由端３１と、後述する制御接点４に押圧力を加える第２の自由端３２との中間部を屈曲させて「く」字形に形成されており、その屈曲部３３の付近に、継鉄２の２つの突起２１，２１を嵌入する切欠き部３５，３５を形成し、作動片３は、この切欠き部３５，３５によって、継鉄２と接触した状態で揺動可能に支持されている。
【００２７】
また、作動片３の第２の自由端３２側は、樹脂などの絶縁素材からなるカード３４によって被覆されており、カード３４には、制御接点４側に突出させた突起３６が設けられている。
【００２８】
制御接点４は、銅などの導電性の良好な素材を厚板に形成した第１の固定端子Ｔ１の衝立状本体部Ｔ１Ａ上に設けられた固定接点４１と、第１の固定端子Ｔ１と同じ素材で製された第２の固定端子Ｔ２のアーチ状本体部Ｔ２Ａの横架部にリベット止め８１された板バネ８に上に設けられた可動接点４２とで構成され、この板バネ８が、作動片３のカード３４に形成された突起３６の押圧を受けて湾曲することで可動接点４２が、固定接点４１に対して接触して、第１の固定端子Ｔ１と第２の固定通電端子Ｔ２との間で電路を閉じて電流を通じるようになっている。
【００２９】
板バネ８は、銅板などの弾性力を有した、導電性に富んだ非磁性体素材で形成されており、可動接点４２を中央に設けている。そして、この可動接点４２を中心として、その両側端には、一対の突出片Ｐを設けている。この突出片Ｐは、本発明の要部であるので、後述する。
【００３０】
また、作動片３の第２の自由端３２側を被覆しているカード３４に形成された突起３６は、作動片３の自由端３１が継鉄２の開口端に吸引されて閉位置に移動すれば、カード３４の突起３６は板バネ８を押圧して、可動接点４２を固定接点４１に接触させるが、通電コイル６への通電を切換えて、作動片３の自由端３１が、継鉄２の開口端から解放された開位置に移動すれば、それに応じて板バネ８は押圧を解除し、可動接点４２を固定接点４１より引き離すようになっている。
ここに、固定接点４１、可動接点４２の材質には、Ａｇ／Ｃｕ、ＡｇＣｄＯ／Ｃｕ、ＡｇＮｉ／Ｃｕ、あるいはＡｇＳｎＯ２／Ｃｕ合金などが利用できるが、先のものほど導電性が高く、後のものほど対溶着性に優れている。
【００３１】
図７（ａ）、（ｂ）は、パワーリレーＲの基本動作を説明する断面図である。
【００３２】
このパワーリレーＲでは、通電コイル６への通電切換えにより、作動片３の自由端３１を継鉄２の開口端に吸引、解放させることで、作動片３を上述した開位置と閉位置との間で往復運動させるが、ここに、図７（ａ）は、作動片３が閉位置にある状態、図７（ｂ）は、作動片３が開位置にある状態を示している。
【００３３】
図７（ａ）に従って説明すると、作動片３が閉位置にあるときは、作動片３を被覆するカード３４に設けられた突起３６は、板バネ８を強く押圧するので、板バネ８に固定された可動接点４２と、第１の固定端子Ｔ１に設けられた固定接点４１とは互いに接触しているが、突起３６も板バネ８の弾性復元力を受けているので、この復元力は、作動片３に伝達され、第１の自由端３１を継鉄２の開口端から引き離すように作用している。
【００３４】
この状態では、磁石９から生じた磁束ΦＭ（実線で示す）は、作動片３の第１の自由端３１が継鉄２の開口端に密着して形成される左側のループ経路と、作動片３の第２の自由端側３２と継鉄２との間に大きなギャップを形成している右側のループ経路とに分かれて循環するが、右側のループ経路にはギャップによる大きな磁気抵抗があるために、磁束の多くは、左側のループ経路を通過する。
【００３５】
そのため、通電コイル６の通電が遮断されていれば、作動片３の第１の自由端３１を継鉄２の開口端に吸引させる磁力は、板バネ８の弾性力に打ち勝って作動片３は閉位置に静止保持される。
【００３６】
この状態で、通電コイル６に電流を通電すると、通電コイル６から生じた磁束Φｍ（破線で示す）は、上記左側のループ経路と、第２の自由端３３を経由する大きなループの経路に分かれて循環するが、左側のループ経路では、磁石９から生じた磁束と、通電コイル６から生じた磁束は、その方向が互いに逆となっているので打ち消し合い、その結果、作動片３の第１の自由端３１は継鉄２の開口端から解放されて作動片３が開位置に移動する。
【００３７】
ところが一方、通電コイル６から生じた磁束は、作動片３の第２の自由端３２と継鉄２との間のギャップ周辺において、磁石９から生じた磁束と方向が互いに同じとなるので、磁石９から生じた磁束に加わる。その結果、作動片３の第２の自由端３２は継鉄２に吸引され、この状態は通電が遮断された後も保持される（開位置にラッチされる）。
【００３８】
図７（ｂ）に従って、ラッチリレーＲの動作を説明すると、作動片３が開位置にあるときは、作動片３を被覆するカード３４に設けられた突起３６は、板バネ８を押圧しておらず、そのため板バネ８に固定された可動接点４２と、第１の固定端子Ｔ１に設けた固定接点４１とは、板バネ８の弾性力によって分離される。
【００３９】
また、この状態では、磁石９から生じた磁束ΦＭは、作動片３の第１の自由端３１と継鉄２の開口端がある磁石９の左側のループ経路と、作動片３の第２の自由端３２と、継鉄２との間に小さなギャップがある磁石９の右側のループ経路とに分かれて循環するが、左側のループ経路の磁気抵抗がより大きいので、磁束の多くは、右側のループ経路を通過する。
【００４０】
従って、このとき通電コイル６の通電が遮断されていれば、作動片３の第１の自由端３１を継鉄２の開口端に吸引させる磁力は、作動片３の第２の自由端３２を継鉄２に吸引させる磁力よりも小さくなって、第２の自由端３２を継鉄２に押し付けるので、作動片３が開位置に静止保持される。
【００４１】
この状態で、通電コイル６を上記と逆向きに通電すると、通電コイル６によって生じた磁束Φｍは、上記した左側のループ経路と、第２の自由端３３を経由する大きなループの経路に分かれて循環するが、左側のループ経路では、磁石９から生じた磁束ΦＭと、通電コイル６から生じた磁束Φｍとは、その方向が互いに同じとなり加わるので、作動片３の第１の自由端３１は継鉄２の開口端に吸引され、その結果、作動片３を閉位置に移動させる。そして、作動片３の第１の自由端３１が継鉄２の開口端に吸引されると、その後は、通電を遮断しても、磁石９による磁束によってこの状態が保持され、閉状態が保持される（閉状態にラッチされる）。
【００４２】
また、このパワーリレーＲでは、作動片３の第２の自由端側３２を可動接点４２の近傍まで延出した構成としているので、通電コイル６を通電して、制御接点４を開離させる際には、磁石９から生じた磁束ΦＭと、通電コイル６から生じた磁束Φｍとが同一方向に合流し、漏れ磁束となって、固定接点４１、可動接点４２の間を直交するように誘導され、実施例のリレーＲでは、このような原理で、発生したアークを板バネ８の側端に設けた突出片Ｐまで引き延ばし、消弧している。
【００４３】
ところで、固定接点４１と可動接点４２とが開離した瞬間には、両者の電位差は、回路の誘導成分により急速に上昇するので、その間の空気による絶縁が破れて、アーク放電が発生するが、この場合に生じるアーク電流は、発熱に伴って、固定接点４１、可動接点４２から放出される熱電子、蒸発する金属蒸気などの荷電粒子が主体となっている。
【００４４】
この荷電粒子の速度のベクトルと、周囲の磁束のベクトルとは、互いに交叉するので、電荷粒子に働くローレンツ力のベクトルは、フレミング左手の法則に従えば、電荷粒子の速度ベクトルと磁束のベクトルとの外積として、荷電粒子の軌跡が、磁束のベクトルに直交する平面上で円軌道となるように作用する。
【００４５】
また、荷電粒子に対しては、ローレンツ力と同時に、第１の固定端子Ｔ１、第２の固定端子Ｔ２、板バネ８間の電界も作用しているので、固定接点４１と可動接点４２との間に発生したそれらの集合体であるアークは、湾曲しながら固定端子Ｔ１と板バネ８の側端に移動して引き延ばされ、その後は固定端子Ｔ１と板バネ８間の電位差縮小や、アーク放電の湾曲による経路の抵抗増加（消弧作用）により、放電維持に必要な電圧が不足したときに消滅する。
【００４６】
なお、アーク放電の湾曲や移動の方向は、その電流の向きによって異なるので、アーク放電による電流が固定接点４１側から可動接点４２側に流れているときと、電流が逆向きに流れているときには、湾曲、移動方向も反対になる。
【００４７】
ついで、本発明の要部である板バネの実施形態について説明する。
【００４８】
図１（ａ）は、突出片Ｐを有した板バネ８の一例を示し、図１（ｂ）は、図１（ａ）で示した突出片Ｐにリブ条Ｐｒを付加形成した板バネ８を示している。
【００４９】
図１では、凸形状の突出片Ｐを板バネ８の可動接点４２の左、右側端、つまり板バネ８の両側端に形成しているが、アークが引き延ばしされる、いずれかの一方端側に形成してもよい。左、右の両側端に設ければ、アークの移動方向が特定できない場合にも対応することができる。
【００５０】
このような構造によれば、引き延ばしされたアークは突出片Ｐに導かれ、その部分が損傷するので、板バネ８自身のバネ定数を大きく変化させて、板バネ８の正常な接点接離動作に支障を与えることがない。
【００５１】
板バネ８は、前述した第２の固定端子に固着され、該第２の固定端子とともに電路を構成するため、導電性に優れた非磁性体である銅板などで形成されているが、突出片Ｐも板バネ８と同一素材で形成することが望ましい。
同一素材とすれば、板金を切断加工するだけで突出片を一体形成することができる。また、一体形成であれば、他部材を取り付けた場合のように、突出片が分離、落下するようなことがない。
【００５２】
また、図１（ｂ）では、アークの引き延ばし方向、つまり板バネ８の中央に設けた可動接点４２から突出片Ｐに延びる方向に沿って、固定接点４１側に突出させたリブ条Ｐｒをさらに形成しているが、このようなリブ条Ｐｒを形成しておけば、アークの移動のガイドとなり、すみやかにアークを突出片Ｐに移動させることができる。
【００５３】
図２（ａ）、（ｂ）は、突出片の他形状の例を示す図である。
【００５４】
図２（ａ）は、板バネ８に先端を尖塔形状にした突出片Ｐａを設けているが、このような尖塔形状とすることで、突出片Ｐａの先端では電界強度が高まり、アークが突出片Ｐａに移動しやすくなる。
【００５５】
また、図２（ｂ）では、それぞれの先端を尖塔形状とした複数の小突出片Ｐｂ、Ｐｂ・・・を鋸歯状に形成しているので、損傷を受ける箇所を分散させて、板バネ８の寿命を長くできる。
【００５６】
図３（ａ）は、突出片を有した板バネの他例を示している。図３（ｂ）は、図３（ａ）で示した突出片に、アーク移動のガイドとなるリブ条を形成している。なお、図中の符号は図１と同一のものを付している。
【００５７】
これらの例では、突出片Ｐを可動接点４２の下方側に形成しているので、突出片Ｐはアークによって損傷しても、板バネ８のバネ定数には大きな影響を与えない。
【００５８】
なお、図３（ｂ）はアーク移動ガイド用のリブ条Ｐｒを、可動接点４２から、可動接点４２の下方に突出形成した突出部Ｐに向かうように形成しているので、アークはリブ条Ｐｒに沿って移動し、より一層バネ板のバネ定数を変化させる要因が小さくできる。
【００５９】
次に、突出片に代わる部材により、アークの引き延ばしを終端させる構成について説明する。
【００６０】
図４は、板バネ８にアーチ状の磁性体Ｍを設けた例を示している。
【００６１】
１組のアーチ状の磁性体Ｍは、それぞれの半円弧状の内面Ｍａを可動接点４２側に向けて設けられている。磁性体Ｍを半円形状にして内面Ｍａを接点側に向けているので、アークを誘い込むことができ、アークの移動を早めることができる。
【００６２】
また、磁性体Ｍを取り付けることによって、板バネ８の接点部の荷重が増加するため、バウンスを低減させることができる。
【００６３】
図５は、突出片に代えてアークホーンを設けた例を示し、制御接点を上方から見たものを示している。
【００６４】
ここに、アークホーンＨは、板バネ８上かつ可動接点４２の側方で、板バネ８の両側端に湾曲して張り出すようにして設けられており、その張り出し部は、側端になるにつれて、固定接点４１を設けた第１の固定端子Ｔ１との離隔距離Ｌ２が漸次大きくなる、つまり第１の固定端子Ｔ１より遠ざかるように湾曲している。
また、第１の固定端子Ｔ１の側方には、第２の固定端子Ｔ２が設けられ、この第２の固定端子Ｔ２は、第１の固定端子Ｔ１との離隔距離Ｌ１がアークホーンの先端との離隔距離Ｌ２よりも小さくなるように配置され、かつ板バネ８と同電位になっている。
【００６５】
このような構造によれば、固定接点４１と可動接点４２との間に発生したアークが板バネ８の側端、つまりアークホーンＨの先端に移動する（図５では１０）と、それ以上は維持できなくなったアークは、第１の固定端子Ｔ１と、板バネ８と同電位になっている第２の固定端子Ｔ２との隙間に飛び移り、消弧されることになる（図５では１０´）。
【００６６】
このようなアークホーンＨは、板バネ８を折り曲げて形成することができるため、他の部材を必要とせず簡易に製造できる。また、他部材を使用しないため、使用中に分離、落下する心配もない。
【図面の簡単な説明】
【００６７】
【図１】（ａ）は、本発明の要部をなす突出片を有した板バネの一例を示す可動接点部分の正面図である。（ｂ）は、（ａ）で示した突出片にリブ条を形成した板バネを示す図である。
【図２】（ａ）、（ｂ）は、突出片の他例を示す図である。
【図３】（ａ）は、突出片を有した板バネの他の例を示す可動接点部分の正面図である。（ｂ）は、（ａ）で示した突出片にリブ条を形成した板バネを示す図である。
【図４】アーチ状の磁性体を設けた板バネの例を示す可動接点部分の正面図である。
【図５】アークホーンと、第２の固定端子とを設けた板バネの例を説明する正面図である。
【図６】本発明が実施されるパワーリレーの構造を示す図で、（ａ）は平面図、（ｂ）はＹ−Ｙ線概略断面図、（ｃ）はＸ−Ｘ線概略断面図である。
【図７】（ａ）、（ｂ）は、本発明のパワーリレーの基本動作を説明する図である。
【符号の説明】
【００６８】
Ｒ      パワーリレー
２      継鉄
３      作動片
４      制御接点
４１      固定接点
４２      可動接点
６      通電コイル
８      板バネ
９      磁石
Ｔ１      第１の固定端子
Ｔ２      第２の固定端子
Ｐ      突出片
Ｐａ      尖塔形状端部を有した突出片
Ｐｂ      尖塔形状の小突出片
Ｐｒ      リブ条
Ｈ      アークホーン
Ｍ      アーチ状の磁性体
【図１】
2006196372.tif 000003
【図２】
2006196372.tif 000004
【図３】
2006196372.tif 000005
【図４】
2006196372.tif 000006
【図５】
2006196372.tif 000007
【図６】
2006196372.tif 000008
【図７】
2006196372.tif 000009